(57)【要約】【課題】ドレインカバーをビス止めせずにドレイン本体に対し簡単且つ確実に着脱し得るようにした縦引きドレインを提供する。【解決手段】フロアの排水口に設置されるドレイン本体１の上側に、複数の取水口１１を開口して上方へに膨らむドレインカバー５を装着した縦引きドレインに関し、ドレインカバー５の頂部中央に下方向きに延びるロッド材１３を一体的に突設し、該ロッド材１３の下端部にドレイン本体１の半径方向に張り出すストッパバー１４を一体的に設け、ドレイン本体１の内周面には前記ストッパバー１４を掛止してドレインカバー５のドレイン本体１からの浮き上がりを阻止し得るよう複数の掛止鍔部１５を円弧状に形成し、該各掛止鍔部１５の相互間に前記ストッパバー１４を上下方向に通過せしめ得るよう切欠部１６を確保する。【選択図】        図２
2004197512.tif 000002
【特許請求の範囲】
【請求項１】
フロアの排水口に設置されるドレイン本体の上側に、複数の取水口を開口して上方へに膨らむドレインカバーを装着した縦引きドレインであって、ドレインカバーの頂部中央に下方向きに延びるロッド材を一体的に突設し、該ロッド材の下端部にドレイン本体の半径方向に張り出すストッパバーを一体的に設け、ドレイン本体の内周面には前記ストッパバーを掛止してドレインカバーのドレイン本体からの浮き上がりを阻止し得るよう複数の掛止鍔部を円弧状に形成し、該各掛止鍔部の相互間に前記ストッパバーを上下方向に通過せしめ得るよう切欠部を確保したことを特徴とする縦引きドレイン。
【請求項２】
フロアの排水口に設置されるドレイン本体の上側に、複数の取水口を開口して上方へに膨らむドレインカバーを装着した縦引きドレインであって、ドレインカバーの頂部中央に上下方向に延びるロッド材を摺動自在に嵌挿し、該ロッド材の下端部にドレイン本体の半径方向に張り出すストッパバーを一体的に設け且つ前記ロッド材の上端部に該ロッド材をドレインカバーの外部から回動操作し得るようノブ部を設け、ドレイン本体の内周面には前記ストッパバーを掛止してドレインカバーのドレイン本体からの浮き上がりを阻止し得るよう複数の掛止鍔部を円弧状に形成し、該各掛止鍔部の相互間に前記ストッパバーを上下方向に通過せしめ得るよう切欠部を確保したことを特徴とする縦引きドレイン。
【請求項３】
各掛止鍔部を螺旋軌道の一部を成すように傾斜せしめたことを特徴とする請求項１又は２に記載の縦引きドレイン。
【発明の詳細な説明】
【０００１】
【発明の属する技術分野】
本発明は、縦引きドレインに関するものである。
【０００２】
【従来の技術】
ビルやマンション等の建築物の屋上や各階のベランダに設けられている排水口部分には、雨水を排水するためのドレインが使用されており、この種のドレインとしては、雨水を上方から導入して下方へ排出するようにした縦引きドレインが一般的である。
【０００３】
図１２は従来における縦引きドレインの一例を示すもので、図中１はフロア２に設けられた排水口３に挿入設置されるドレイン本体を示し、該ドレイン本体１は、フロア２に設けられた排水口３内下方に垂直に配設された排水管４の上端に嵌挿されており、前記ドレイン本体１の上側には、雨水に随伴されるゴミや小枝等の固形物の侵入防止、並びに排水口３が剥き出しになることによる危険性の回避、美観の保持等といった観点からドレインカバー５が装着されている。
【０００４】
ここに図示する例では、フロア２を形成するためのモルタルやセメント、樹脂等といった流動性硬化材６の打設時に当該フロア２の排水口３の位置にドレイン本体１を一緒に埋め込み、フロア２の硬化後にドレイン本体１の上側にドレインカバー５を装着して排水口３を被覆するようにしてあり、前記ドレイン本体１の上端外周には、フロア２の上面に沿うフランジ部７が形成されている。
【０００５】
また、ドレインカバー５の内側中央部には、下方向きに所要長さ延びるホルダ部８が突設されており、該ホルダ部８の下端に対し、その両端部を下方向きに撓ませて弾性力によりドレイン本体１の内周面に圧接せしめ得るよう一対の細長いバネ板９，１０の中間部が装着されている。
【０００６】
尚、図中１１は前記ドレインカバー５に開口された複数の取水口、１２は各バネ板９，１０の中間部をホルダ部８の下端に装着しているビスを夫々示す。
【０００７】
また、この種の縦引きドレインに関連する先行技術文献としては下記の特許文献１等がある。
【０００８】
【特許文献１】
特開平９−１６５８８５号公報
【０００９】
【発明が解決しようとする課題】
しかしながら、上記した如き従来の縦引きドレインにおいては、バネ板９，１０をドレイン本体１の内周面に圧接させることでドレインカバー５を固定するようにしていたため、ビルの屋上等でドレインカバー５の上方で強い横風が吹いたような場合に、排水口３内の空気が霧吹きの原理で吸い出されてドレインカバー５を吹き上げる現象が起こり、これによりドレインカバー５がドレイン本体１から浮き上がって外れてしまう虞れがあった。
【００１０】
他方、このようなドレインカバー５の浮き上がりを防止する対策としては、例えば、図示とは異なる形式の縦引きドレイン等にてドレインカバー５をドレイン本体１にビス止めすることが従来より行われているが、通常、この種の縦引きドレインでは、ドレインカバー５の取水口１１を潜り抜けて侵入した細かな固形物や沈降汚泥等が徐々に内部に堆積し、定期的に内部の清掃を行わなければならないため、このような内部の清掃を行う際に、複数本のビスを緩めてドレインカバー５を取り外した上で清掃後に再びビスを締め込んでドレインカバー５を装着し直さなければならないという面倒があり、また、ドレインカバー５を取り外す作業中にビスを排水管４内へ落として紛失してしまうといった不具合も多発していた。
【００１１】
本発明は上述の実情に鑑みてなしたもので、ドレインカバーをビス止めせずにドレイン本体に対し簡単且つ確実に着脱し得るようにした縦引きドレインを提供することを目的としている。
【００１２】
【課題を解決するための手段】
本発明は、フロアの排水口に設置されるドレイン本体の上側に、複数の取水口を開口して上方へに膨らむドレインカバーを装着した縦引きドレインであって、ドレインカバーの頂部中央に下方向きに延びるロッド材を一体的に突設し、該ロッド材の下端部にドレイン本体の半径方向に張り出すストッパバーを一体的に設け、ドレイン本体の内周面には前記ストッパバーを掛止してドレインカバーのドレイン本体からの浮き上がりを阻止し得るよう複数の掛止鍔部を円弧状に形成し、該各掛止鍔部の相互間に前記ストッパバーを上下方向に通過せしめ得るよう切欠部を確保したことを特徴とするものである。
【００１３】
而して、このようにすれば、ドレイン本体の上側にドレインカバーを装着するに際し、該ドレインカバーをドレイン本体の上側に被せてドレイン本体内にロッド材を挿入し、該ロッド材の下端部のストッパバーを切欠部を通過させて掛止鍔部の下まで挿し入れてからドレインカバーごと円周方向に回動すると、ストッパバーが各掛止鍔部の下面に掛止されてドレインカバーがドレイン本体から外れないように保持されることになる。
【００１４】
ただし、ストッパバーの両端部に掛止鍔部を係合可能な湾曲部を形成するなどの加工を施してある場合には、ストッパバーを切欠部の高さ位置まで挿し入れてからドレインカバーごと円周方向に回動し、ストッパバーの湾曲部に掛止鍔部を係合させることでストッパバーの掛止を図るようにすることも可能である。
【００１５】
他方、ドレイン本体からドレインカバーを取り外す際には、ドレインカバーを円周方向に回動してストッパバーを掛止鍔部の切欠部と位置合わせすれば、ストッパバーと掛止鍔部との掛止状態が解除されてドレインカバーがドレイン本体から簡単に取り外されることになる。
【００１６】
また、本発明は、フロアの排水口に設置されるドレイン本体の上側に、複数の取水口を開口して上方へに膨らむドレインカバーを装着した縦引きドレインであって、ドレインカバーの頂部中央に上下方向に延びるロッド材を摺動自在に嵌挿し、該ロッド材の下端部にドレイン本体の半径方向に張り出すストッパバーを一体的に設け且つ前記ロッド材の上端部に該ロッド材をドレインカバーの外部から回動操作し得るようノブ部を設け、ドレイン本体の内周面には前記ストッパバーを掛止してドレインカバーのドレイン本体からの浮き上がりを阻止し得るよう複数の掛止鍔部を円弧状に形成し、該各掛止鍔部の相互間に前記ストッパバーを上下方向に通過せしめ得るよう切欠部を確保したことを特徴とするものでもある。
【００１７】
而して、このようにすれば、ドレイン本体の上側にドレインカバーを装着するに際し、該ドレインカバーをドレイン本体の上側に被せてドレイン本体内にロッド材を挿入し、該ロッド材の下端部のストッパバーを切欠部を通過させて掛止鍔部の下まで挿し入れてからノブ部を摘んでロッド材を円周方向に回動すると、ストッパバーが各掛止鍔部の下面に掛止されてドレインカバーがドレイン本体から外れないように保持されることになる。
【００１８】
ただし、ストッパバーの両端部に掛止鍔部を係合可能な湾曲部を形成するなどの加工を施してある場合には、ストッパバーを切欠部の高さ位置まで挿し入れてからノブ部を摘んでロッド材を円周方向に回動し、ストッパバーの湾曲部に掛止鍔部を係合させることでストッパバーの掛止を図るようにすることも可能である。
【００１９】
他方、ドレイン本体からドレインカバーを取り外す際には、ノブ部を介しロッド材を円周方向に回動してストッパバーを掛止鍔部の切欠部と位置合わせすれば、ストッパバーと掛止鍔部との掛止状態が解除されてドレインカバーがドレイン本体から簡単に取り外されることになる。
【００２０】
更に、本発明においては、各掛止鍔部を螺旋軌道の一部を成すように傾斜させることが好ましく、このようにすれば、ドレインカバーの回動位置によりストッパバーの掛止鍔部に対する掛止高さを変更することが可能となるので、製作上の精度に拘わらず常にガタつきのない安定した装着状態が得られる。
【００２１】
【発明の実施の形態】
以下本発明の実施の形態を図面を参照しつつ説明する。
【００２２】
図１〜図４は本発明を実施する形態の一例を示すもので、図１２と同一の符号を付した部分は同一物を表わしている。
【００２３】
図示する如く、本形態例においては、フロア２の排水口３に設置されるドレイン本体１の上側に、複数の取水口１１を開口して上方へに膨らむドレインカバー５を装着した縦引きドレインに関し、ドレインカバー５の頂部中央に下方向きに延びるロッド材１３を一体的に突設し、該ロッド材１３の下端部にドレイン本体１の半径方向に張り出すストッパバー１４を一体的に設けている。
【００２４】
他方、ドレイン本体１の内周面には、前記ストッパバー１４を掛止してドレインカバー５のドレイン本体１からの浮き上がりを阻止し得るよう複数の掛止鍔部１５を円弧状に形成し、該各掛止鍔部１５の相互間に前記ストッパバー１４を上下方向に通過せしめ得るよう切欠部１６（図３及び図４参照）を確保してある。
【００２５】
ここで、ドレインカバー５のドレイン本体１からの浮き上がりとは、ビルの屋上等でドレインカバー５の上方で強い横風が吹いたような場合に、排水管４内の空気が霧吹きの原理で吸い出されてドレインカバー５を吹き上げる現象が起こることによる浮き上がりのことを指している。
【００２６】
また、ここに図示する例においては、ドレイン本体１の上端外周のフランジ部７が上向きに擂り鉢状を成すように形成されてフロア２上面に沿わされていると共に、この擂り鉢状のフランジ部７の上面には、ドレインカバー５下端の外径と略合致する径の段差部１７が形成され、しかも、ドレインカバー５下端の底面が段差部１７下の傾斜面に沿うように傾斜されていて、ドレインカバー５の段差部１７への嵌め込みにより水平移動が規制されるようにしてある。
【００２７】
尚、フランジ部７が擂り鉢状に形成してあるのは、雨水を良好に排水口３へ導くためであるが、フランジ部７より外側のフロア２上面にも雨水を排水口３へ導くための傾斜を付して良い。
【００２８】
而して、このように構成された縦引きドレインによれば、ドレイン本体１の上側にドレインカバー５を装着する場合に、該ドレインカバー５をドレイン本体１の上側に被せてドレイン本体１内にロッド材１３を挿入し、図４に示すようにストッパバー１４と掛止鍔部１５の切欠部１６とを位置合わせした状態として、該切欠部１６を通しストッパバー１４の両端部を掛止鍔部１５の下まで挿し入れてからドレインカバー５ごと円周方向に回動すると、図１及び図３に示す如く、ストッパバー１４が各掛止鍔部１５の下面に掛止されてドレインカバー５がドレイン本体１から外れないように保持されることになる。
【００２９】
他方、ドレイン本体１からドレインカバー５を取り外す際には、ドレインカバー５を図３の状態から円周方向に回動して図４の状態に戻して、ストッパバー１４を掛止鍔部１５の切欠部１６と位置合わせすれば、ストッパバー１４と各掛止鍔部１５との掛止状態が解除されてドレインカバー５がドレイン本体１から簡単に取り外されることになる。
【００３０】
従って、上記形態例によれば、複数本のビスを緩めたり再び締め直したりといった手間をかけずに、ドレインカバー５を回動操作するだけでドレイン本体１から簡単に取り外すことができるので、ドレイン本体１の内部の清掃作業を極めて容易に行うことができ、また、作業中にビスを排水管４内へ落として紛失してしまうといった不具合も未然に回避することができ、しかも、ドレインカバー５の装着時にあっては、強い横風によるドレインカバー５の浮き上がりを確実に阻止することができる。
【００３１】
図５は前記各掛止鍔部１５の変形例を示す図３のＶ−Ｖ矢視相当図であり、ここに図示している如く、各掛止鍔部１５を螺旋軌道の一部を成すように傾斜せしめることも可能である。
【００３２】
このようにすれば、ドレインカバー５の回動位置によりストッパバー１４の掛止鍔部１５に対する掛止高さを図５中のｈで示す範囲で変更することができるので、製作上の精度に拘わらず常にガタつきのない安定した装着状態を実現することができる。
【００３３】
更に、図６は前記ストッパバー１４の変形例を示す斜視図であり、図７はこのストッパバー１４の掛止状態を示す断面図であるが、ここに図示されている如く、ストッパバー１４の両端部に掛止鍔部１５を係合可能な湾曲部１８が形成されいる場合には、ストッパバー１４を切欠部１６の高さ位置まで挿し入れてからドレインカバー５ごと円周方向に回動し、図７に示す如く、ストッパバー１４の湾曲部１８に掛止鍔部１５を係合させることでストッパバー１４の掛止を図るようにしても良い。
【００３４】
図８は本発明の別の形態例を示すもので、本形態例においては、ドレインカバー５とロッド材１３とを一体化させた構造を採用することに替えて、ドレインカバー５の頂部中央に上下方向に延びるロッド材１３を摺動自在に嵌挿し、該ロッド材１３の下端部にドレイン本体１の半径方向に張り出すストッパバー１４を一体的に設け且つ前記ロッド材１３の上端部に該ロッド材１３をドレインカバー５の外部から回動操作し得るようノブ部１９を設けるようにしてある。尚、ドレイン本体１側の構造については、前述した図１〜図４の形態例の場合と同様であるので説明を割愛する。
【００３５】
ここで、前記ノブ部１９は、図９に側面図で示す如く、側方から見て凸形を成すように形成されていて指先で摘み易い形状としてある。
【００３６】
また、図１０にドレインカバー５の底面図を示す如く、ドレインカバー５の円周方向複数箇所（図示する例では二箇所）に半径方向内側へ折れ込む窪み部２０が形成されており、他方、図１１にドレイン本体１の平面図を示す如く、ドレイン本体１のフランジ部７には、前記ドレインカバー５側の窪み部２０に対応するよう突起２１が突設されていて、ドレイン本体１の上側にドレインカバー５を装着した際に、ドレインカバー５側の窪み部２０に突起２１が嵌合されてドレインカバー５のドレイン本体１側に対する回り止めが成されるようになっている。
【００３７】
而して、このように構成された縦引きドレインによれば、ドレイン本体１の上側にドレインカバー５を装着する場合に、該ドレインカバー５をドレイン本体１の上側に被せてドレイン本体１内にロッド材１３を挿入し、ストッパバー１４と掛止鍔部１５の切欠部１６とを位置合わせした状態として、該切欠部１６を通しストッパバー１４の両端部を掛止鍔部１５の下まで挿し入れてからノブ部１９を摘んでロッド材１３を円周方向に回動すると、図８に示す如く、ストッパバー１４が各掛止鍔部１５の下面に掛止されてドレインカバー５がドレイン本体１から外れないように保持されることになる。
【００３８】
他方、ドレイン本体１からドレインカバー５を取り外す際には、ノブ部１９を介しロッド材１３を円周方向に回動してストッパバー１４を掛止鍔部１５の切欠部１６と位置合わせすれば、ストッパバー１４と各掛止鍔部１５との掛止状態が解除されてドレインカバー５がドレイン本体１から簡単に取り外されることになる。
【００３９】
従って、このようにした場合にも、前述した図１〜図４の形態例の場合と同様に、複数本のビスを緩めたり再び締め直したりといった手間をかけずに、ノブ部１９を介しロッド材１３を回動操作するだけでドレイン本体１から簡単に取り外すことができるので、ドレイン本体１の内部の清掃作業を極めて容易に行うことができ、また、作業中にビスを排水管４内へ落として紛失してしまうといった不具合も未然に回避することができ、しかも、ドレインカバー５の装着時にあっては、強い横風によるドレインカバー５の浮き上がりを確実に阻止することができる。
【００４０】
また、この図８〜図１１に示した形態例においても、先に説明した図５の如き掛止鍔部１５の変形例や、図６及び図７の如きストッパバー１４の変形例を適宜に採用することが可能である。
【００４１】
尚、本発明の縦引きドレインは、上述の形態例にのみ限定されるものではなく、ドレインカバーの形状等については図示以外の形式を採用しても良いこと、その他、本発明の要旨を逸脱しない範囲内において種々変更を加え得ることは勿論である。
【００４２】
【発明の効果】
上記した本発明の縦引きドレインによれば、下記の如き種々の優れた効果を奏し得る。
【００４３】
（Ｉ）本発明の請求項１、２に記載の発明によれば、複数本のビスを緩めたり再び締め直したりといった手間をかけずに、ドレインカバー又はロッド材を回動操作するだけでドレイン本体から簡単且つ確実に着脱することができるので、ドレイン本体の内部の清掃作業を極めて容易に行うことができ、また、作業中にビスを排水管内へ落として紛失してしまうといった不具合も未然に回避することができ、しかも、ドレインカバーの装着時にあっては、強い横風によるドレインカバーの浮き上がりを確実に阻止することができる。
【００４４】
（ＩＩ）本発明の請求項３に記載の発明によれば、ドレインカバーの回動位置によりストッパバーの掛止鍔部に対する掛止高さを変更することができるので、製作上の精度に拘わらず常にガタつきのない安定した装着状態を実現することができる。
【図面の簡単な説明】
【図１】本発明を実施する形態の一例を示す断面図である。
【図２】図１のドレインカバー及びドレイン本体を分解状態で示す斜視図である。
【図３】図１のＩＩＩ−ＩＩＩ方向の矢視図である。
【図４】図３のストッパバーによる掛止を解除した状態を示す断面図である。
【図５】掛止鍔部の変形例を示す図３のＶ−Ｖ矢視相当図である。
【図６】ストッパバーの変形例を示す斜視図である。
【図７】図６のストッパバーの掛止状態を示す断面図である。
【図８】本発明の別の形態例を示す断面図である。
【図９】図８のノブ部の側面図である。
【図１０】図８のドレインカバーの底面図である。
【図１１】図８のドレイン本体の平面図である。
【図１２】従来例を示す断面図である。
【符号の説明】
１  ドレイン本体
２  フロア
３  排水口
５  ドレインカバー
１１  取水口
１３  ロッド材
１４  ストッパバー
１５  掛止鍔部
１６  切欠部
１９  ノブ部
【図１】
2004197512.tif 000003
【図２】
2004197512.tif 000004
【図３】
2004197512.tif 000005
【図４】
2004197512.tif 000006
【図５】
2004197512.tif 000007
【図６】
2004197512.tif 000008
【図７】
2004197512.tif 000009
【図８】
2004197512.tif 000010
【図９】
2004197512.tif 000011
【図１０】
2004197512.tif 000012
【図１１】
2004197512.tif 000013
【図１２】
2004197512.tif 000014